Podtech/llm-jp-corpus-v4-ja_patent huggingface dataset:
【手続補正書】
【提出日】平成26年8月13日(2014.8.13)
【手続補正１】
【補正対象書類名】特許請求の範囲
【補正対象項目名】全文
【補正方法】変更
【補正の内容】
【特許請求の範囲】
【請求項１】
水平方向及び垂直方向に配列された光電変換素子からなる複数の画素上に所定のカラーフィルタ配列でカラーフィルタが配設されてなる単板式のカラー撮像素子であって、配設される全ての色のカラーフィルタが水平方向及び垂直方向の各ライン内に周期的に配置されたカラー撮像素子と、
前記カラー撮像素子から前記カラーフィルタ配列に対応するモザイク画像を取得する画像取得部と、
所定のフィルタ係数を有する加重平均フィルタであって、該加重平均フィルタに対応して前記モザイク画像から抽出される局所領域内の各画素の色と前記フィルタ係数との関係が、水平及び垂直方向の各ライン内の色毎のフィルタ係数の総和の比が等しくなるように設定された加重平均フィルタと、
前記加重平均フィルタのフィルタ係数と該加重平均フィルタに対応して前記モザイク画像から抽出される局所領域内の各画素の画素値とに基づいて色毎の加重平均値を算出する加重平均算出部と、
前記加重平均フィルタの中央部の同時化処理の対象画素の画素位置における他の色の画素値を算出する同時化処理部であって、前記対象画素の色と他の色との前記算出した加重平均値の色比又は色差に基づいて、前記対象画素の画素値を補間して前記他の色の画素値を算出する同時化処理部と、
を備えたカラー撮像装置。
【請求項２】
前記カラー撮像素子のカラーフィルタ配列は、輝度信号を得るために最も寄与する第１の色に対応する第１のフィルタと前記第１の色以外の２色以上の第２の色に対応する第２のフィルタとが配列された基本配列パターンを含み、該基本配列パターンが水平方向及び垂直方向に繰り返して配置され、
前記第１のフィルタに対応する第１の色の画素数と前記第２のフィルタに対応する第２の色の各色の画素数との比率が、前記第２のフィルタに対応する第２の色の各色よりも前記第１のフィルタに対応する第１の色の方が大きい請求項１に記載のカラー撮像装置。
【請求項３】
前記加重平均フィルタは、中央部のフィルタ係数が大きくなるように重み付けされているフィルタである請求項１又は２に記載のカラー撮像装置。
【請求項４】
前記加重平均フィルタは、左右対称、上下対称及び点対称となるフィルタ係数を有する請求項１から３のいずれか１項に記載のカラー撮像装置。
【請求項５】
前記加重平均フィルタに対応して前記モザイク画像から抽出する局所領域を、前記同時化処理の対象画素単位毎に移動させながら前記加重平均算出部及び同時化処理部を繰り返し動作させる制御部を有する請求項１から４のいずれか１項に記載のカラー撮像装置。
【請求項６】
前記カラーフィルタは、赤、緑、及び青の色に対応する赤フィルタ、緑フィルタ及び青フィルタが所定のカラーフィルタ配列で配置されてなり、
前記加重平均算出部により算出された前記赤フィルタ、緑フィルタ及び青フィルタに対応する赤画素、緑画素、及び青画素の画素値の色毎の加重平均値を、それぞれＲｆ、Ｇｆ、Ｂｆとすると、
前記同時化処理部は、
前記同時化処理の対象画素が緑画素であり、その画素値がＧの場合、前記対象画素の位置における赤画素及び青画素の画素値Ｒ，Ｂを、次式、
Ｒ＝Ｇ×（Ｒｆ／Ｇｆ），Ｂ＝Ｇ×（Ｂｆ／Ｇｆ）
により算出し、前記同時化処理の対象画素が赤画素であり、その画素値がＲの場合、前記対象画素の位置における緑画素及び青画素の画素値Ｇ，Ｂを、次式、
Ｇ＝Ｒ×（Ｇｆ／Ｒｆ），Ｂ＝Ｒ×（Ｂｆ／Ｒｆ）
により算出し、前記同時化処理の対象画素が青画素であり、その画素値がＢの場合、前記対象画素の位置における緑画素及び赤画素の画素値Ｇ，Ｒを、次式、
Ｇ＝Ｂ×（Ｇｆ／Ｂｆ），Ｒ＝Ｂ×（Ｒｆ／Ｂｆ）
により算出する請求項１から５のいずれか１項に記載のカラー撮像装置。
【請求項７】
前記カラーフィルタは、赤、緑、及び青の色に対応する赤フィルタ、緑フィルタ及び青フィルタが所定のカラーフィルタ配列で配置されてなり、
前記加重平均算出部により算出された前記赤フィルタ、緑フィルタ及び青フィルタに対応する赤画素、緑画素、及び青画素の画素値の色毎の加重平均値を、それぞれＲｆ、Ｇｆ、及びＢｆとすると、
前記同時化処理部は、
前記同時化処理の対象画素が緑画素であり、その画素値がＧの場合、前記対象画素の位置における赤画素及び青画素の画素値Ｒ，Ｂを、次式、
Ｒ＝Ｇ＋（Ｒｆ−Ｇｆ），Ｂ＝Ｇ＋（Ｂｆ−Ｇｆ）
により算出し、前記同時化処理の対象画素が赤画素であり、その画素値がＲの場合、前記対象画素の位置における緑画素及び青画素の画素値Ｇ，Ｂを、次式、
Ｇ＝Ｒ＋（Ｇｆ−Ｒｆ），Ｂ＝Ｒ＋（Ｂｆ−Ｒｆ）
により算出し、前記同時化処理の対象画素が青画素であり、その画素値がＢの場合、前記対象画素の位置における緑画素及び赤画素の画素値Ｇ，Ｒを、次式、
Ｇ＝Ｂ＋（Ｇｆ−Ｂｆ），Ｒ＝Ｂ＋（Ｒｆ−Ｂｆ）
により算出する請求項１から５のいずれか１項に記載のカラー撮像装置。
【請求項８】
水平方向及び垂直方向に配列された光電変換素子からなる複数の画素上に所定のカラーフィルタ配列でカラーフィルタが配設されてなる単板式のカラー撮像素子であって、配設される全ての色のカラーフィルタが水平方向及び垂直方向の各ライン内に周期的に配置されたカラー撮像素子に使用される画像処理方法において、
前記カラー撮像素子から前記カラーフィルタ配列に対応するモザイク画像を取得する工程と、
所定のフィルタ係数を有する加重平均フィルタであって、該加重平均フィルタに対応して前記モザイク画像から抽出される局所領域内の各画素の色と前記フィルタ係数との関係が、水平及び垂直方向の各ライン内の色毎のフィルタ係数の総和の比が等しくなるように設定された加重平均フィルタを使用し、前記加重平均フィルタのフィルタ係数と該加重平均フィルタに対応して前記モザイク画像から抽出される局所領域内の各画素の画素値とに基づいて色毎の加重平均値を算出する工程と、
前記加重平均フィルタの中央部の同時化処理の対象画素の画素位置における他の色の画素値を算出する工程であって、前記対象画素の色と他の色との前記算出した加重平均値の色比又は色差に基づいて、前記対象画素の画素値を補間して前記他の色の画素値を算出する工程と、
を含む画像処理方法。
【手続補正２】
【補正対象書類名】明細書
【補正対象項目名】発明の名称
【補正方法】変更
【補正の内容】
【発明の名称】カラー撮像装置及び画像処理方法
【手続補正３】
【補正対象書類名】明細書
【補正対象項目名】０００１
【補正方法】変更
【補正の内容】
【０００１】
本発明はカラー撮像装置及び画像処理方法に係り、特に色モワレの発生を抑圧することができるカラー撮像装置及び画像処理方法に関する。
【手続補正４】
【補正対象書類名】明細書
【補正対象項目名】００１３
【補正方法】変更
【補正の内容】
【００１３】
本発明はこのような事情に鑑みてなされたもので、高周波部の偽色の発生を簡単な画像
処理で抑圧することができるカラー撮像装置及び画像処理方法を提供することを目的とする。
【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
力率を調整する第１の調整回路及び第２の調整回路と、前記第１の調整回路及び第２の調整回路が有するスイッチング素子を用いてそれぞれの出力電圧を制御する制御回路とを有する電源装置であって、
前記第１の調整回路及び第２の調整回路は、
それぞれの出力電圧を検出する出力電圧検出部と、
前記スイッチング素子に流れる電流を検出する電流検出部とを有し、
前記制御回路は、
前記出力電圧検出部及び前記電流検出部からの検出結果に応じたスイッチング信号を前記スイッチング素子に出力するスイッチング制御部を有することを特徴とする電源装置。
【請求項２】
前記制御回路は、
前記第１の調整回路及び第２の調整回路のそれぞれの出力電圧検出部から得られる出力電圧に応じて、前記スイッチング素子のそれぞれに流れる最大電流を制御することを特徴とする請求項１に記載の電源装置。
【請求項３】
前記制御回路は、
前記第１の調整回路の前記出力電圧検出部から得られる出力電圧に応じて前記第１の調整回路及び第２の調整回路のそれぞれのスイッチング信号のスイッチング周波数を制御することを特徴とする請求項１又は２に記載の電源装置。
【請求項４】
前記スイッチング制御部は、
前記スイッチング周波数に基づいて、前記第１の調整回路及び第２の調整回路のそれぞれのスイッチング信号の立ち上がりを制御することを特徴とする請求項３に記載の電源装置。
【請求項５】
前記スイッチング制御部は、
前記第１の調整回路及び第２の調整回路の前記出力電圧検出部から得られるそれぞれの出力電圧及び前記電流検出部から得られるそれぞれの電流値に基づいて、前記第１の調整回路及び第２の調整回路のそれぞれのスイッチング信号の立ち下がりを制御することを特徴とする請求項４に記載の電源装置。
【請求項６】
交流電源の整流回路から得られる入力電圧を検出する入力電圧検出部を有し、
前記スイッチング制御部は、
前記入力電圧検出部から得られる入力電圧と前記第１の調整回路及び第２の調整回路の前記出力電圧検出部から得られるそれぞれの出力電圧とを乗算した信号と、前記第１の調整回路及び第２の調整回路の前記電流検出部から得られるそれぞれの電流値とに基づいて、前記スイッチング信号の立ち下がりを制御することを特徴とする請求項５に記載の電源装置。
【請求項７】
交流電源の整流回路から得られる入力電圧を検出する入力電圧検出部を有し、
前記制御回路は、
前記入力電圧検出部から得られる入力電圧波形の高レベル部分を下げるよう調整する波形整形回路を有することを特徴とする請求項１乃至５のいずれか一項に記載の電源装置。
【手続補正２】
【補正対象書類名】明細書
【補正対象項目名】００１０
【補正方法】変更
【補正の内容】
【００１０】
本発明は、上記目的を達成するために、力率を調整する第１の調整回路及び第２の調整回路と、前記第１の調整回路及び第２の調整回路が有するスイッチング素子を用いてそれぞれの出力電圧を制御する制御回路とを有する電源装置であって、前記第１の調整回路及び第２の調整回路は、それぞれの出力電圧を検出する出力電圧検出部と、前記スイッチング素子に流れる電流を検出する電流検出部とを有し、前記制御回路は、前記出力電圧検出部及び前記電流検出部からの検出結果に応じたスイッチング信号を前記スイッチング素子に出力するスイッチング制御部を有する。
【手続補正書】
【提出日】平成26年6月24日(2014.6.24)
【手続補正１】
【補正対象書類名】明細書
【補正対象項目名】０００８
【補正方法】変更
【補正の内容】
【０００８】
本発明の一態様の撮像装置は、公衆通信網を介して外部装置との通信を行うことが可能な通信部と、被写体を撮像して画像データを取得する撮像部と、前記撮像部により取得された画像データを表示可能な表示部と、前記通信部を介して前記外部装置との通信を行うことにより、前記撮像部により取得された画像データの送信先に係る送信先情報を取得する送信先情報取得部と、前記撮像部による静止画像データの取得と、当該取得した静止画像データの前記送信先情報に応じた送信先への送信と、を連動して実施させる指示を行うことが可能な機能を具備する１つ以上の撮影ボタンを前記表示部に表示させるための処理を行うとともに、前記表示部に表示させる各撮影ボタンのうち、前記撮像部により取得された静止画像データの送信期限があるものにアイコンを付すための処理を行う制御部と、を有する。
本発明の一態様の撮像装置は、公衆通信網を介して外部装置との通信を行うことが可能な通信部と、被写体を撮像して画像データを取得する撮像部と、前記撮像部により取得された画像データを表示可能な表示部と、前記通信部を介して前記外部装置との通信を行うことにより、前記撮像部により取得された画像データの送信先に係る送信先情報を取得する送信先情報取得部と、前記撮像部による静止画像データの取得と、当該取得した静止画像データの前記送信先情報に応じた送信先への送信と、を連動して実施させる指示を行うことが可能な機能を具備する１つ以上の撮影ボタンを前記表示部に表示させるための処理を行うとともに、前記表示部に表示させる各撮影ボタンを、前記撮像部により取得された静止画像データの送信期限の有無に応じた優先順位で配置させるように設定するための処理を行う制御部と、を有する。
【手続補正２】
【補正対象書類名】特許請求の範囲
【補正対象項目名】全文
【補正方法】変更
【補正の内容】
【特許請求の範囲】
【請求項１】
公衆通信網を介して外部装置との通信を行うことが可能な通信部と、
被写体を撮像して画像データを取得する撮像部と、
前記撮像部により取得された画像データを表示可能な表示部と、
前記通信部を介して前記外部装置との通信を行うことにより、前記撮像部により取得された画像データの送信先に係る送信先情報を取得する送信先情報取得部と、
前記撮像部による静止画像データの取得と、当該取得した静止画像データの前記送信先情報に応じた送信先への送信と、を連動して実施させる指示を行うことが可能な機能を具備する１つ以上の撮影ボタンを前記表示部に表示させるための処理を行うとともに、前記表示部に表示させる各撮影ボタンのうち、前記撮像部により取得された静止画像データの送信期限があるものにアイコンを付すための処理を行う制御部と、
を有することを特徴とする撮像装置。
【請求項２】
公衆通信網を介して外部装置との通信を行うことが可能な通信部と、
被写体を撮像して画像データを取得する撮像部と、
前記撮像部により取得された画像データを表示可能な表示部と、
前記通信部を介して前記外部装置との通信を行うことにより、前記撮像部により取得された画像データの送信先に係る送信先情報を取得する送信先情報取得部と、
前記撮像部による静止画像データの取得と、当該取得した静止画像データの前記送信先情報に応じた送信先への送信と、を連動して実施させる指示を行うことが可能な機能を具備する１つ以上の撮影ボタンを前記表示部に表示させるための処理を行うとともに、前記表示部に表示させる各撮影ボタンを、前記撮像部により取得された静止画像データの送信期限の有無に応じた優先順位で配置させるように設定するための処理を行う制御部と、
を有することを特徴とする撮像装置。
【請求項３】
前記撮像部により取得された画像データを保存することが可能な記憶部をさらに有し、
前記制御部は、前記撮像部による静止画像データの取得と、当該取得した静止画像データの前記記憶部への出力と、当該取得した静止画像データの前記送信先情報に応じた送信先への送信と、を連動して実施させる指示を行うことが可能な機能を具備する１つ以上の撮影ボタンを前記表示部に表示させることを特徴とする請求項１または２に記載の撮像装置。
【請求項４】
前記撮像部による静止画像データの取得と、当該取得した静止画像データの前記記憶部への出力と、を連動して実施させる指示を行うことが可能な機能を具備する撮影操作部をさらに有することを特徴とする請求項３に記載の撮像装置。
【請求項５】
前記表示部に表示される各撮影ボタンには、前記指示に応じて取得される前記静止画像データの送信先を個別に視認可能な情報が含まれていることを特徴とする請求項１または２に記載の撮像装置。
【手続補正書】
【提出日】平成26年8月8日(2014.8.8)
【手続補正１】
【補正対象書類名】特許請求の範囲
【補正対象項目名】全文
【補正方法】変更
【補正の内容】
【特許請求の範囲】
【請求項１】
左眼用及び右眼用にそれぞれ備えられた、画像を表示する表示パネルと、前記表示パネルが表示する映像を光学処理するレンズ・ブロックを含んだ光学ユニットと、
左眼用及び右眼用の映像信号を処理する映像信号処理部と、
前記映像信号処理部で処理された映像信号に基づいて、前記左眼用及び前記右眼用の表示パネルの表示駆動を制御する表示制御部と、
を具備し、
前記左右の光学ユニットはそれぞれ、前記レンズ・ブロックの光軸に対して位置調整可能に前記表示パネルを保持するとともに位置調整した後に固定する表示パネル保持部と、前記表示パネルを冷却する表示パネル冷却部と、前記表示パネルの発光面を封止する表示パネル封止部を有する、
ヘッド・マウント・ディスプレイ。
【請求項２】
前記表示パネル保持部は、前記レンズ・ブロックの光軸に対して６軸調整可能に前記表示パネルを保持する、
請求項１に記載のヘッド・マウント・ディスプレイ。
【請求項３】
前記表示パネル保持部は、前記レンズ・ブロックの鏡筒に固定された複数の固着ピンと、前記固着ピンに対応する位置に穿設された固着穴を有するパネル外枠に前記表示パネルをあらかじめ固定したパネル・アセンブリーを有し、前記パネル外枠の各固着穴に前記固着ピンを挿通させた状態で、前記レンズ・ブロックの光軸に対する前記表示パネルの位置を６軸調整可能である、
請求項２に記載のヘッド・マウント・ディスプレイ。
【請求項４】
前記レンズ・ブロックの光軸に対して前記表示パネルを所定の精度で位置決めした後、前記パネル外枠の各固着穴にＵＶ樹脂を流し込んで固着ピンとの間隙を充填させ、紫外線で照射して前記ＵＶ樹脂を硬化させることで、前記表示パネルを前記レンズ・ブロックに対して位置決めした位置に固定する、
請求項３に記載のヘッド・マウント・ディスプレイ。
【請求項５】
前記表示パネル冷却部は、前記表示パネルの基板側に面接触するヒート・シンクを有する、
請求項１乃至４のいずれかに記載のヘッド・マウント・ディスプレイ。
【請求項６】
前記ヒート・シンクを前記表示パネルの基板側に面接触させたときに生じる間隙を充填する熱伝導性グリースをさらに有する、
請求項５に記載のヘッド・マウント・ディスプレイ。
【請求項７】
前記表示パネル封止部は、前記表示パネル保持部により固定された前記表示パネルの側面部分を覆うカバー・フレームと、前記カバー・フレームの開口部分を塞ぐ蓋部を有する、
請求項１乃至６のいずれかに記載のヘッド・マウント・ディスプレイ。
【請求項８】
前記蓋部は、前記表示パネルの基板側に面接触するヒート・シンクである、
請求項７に記載のヘッド・マウント・ディスプレイ。
【請求項９】
前記ヒート・シンクを前記表示パネルの基板側に面接触させたときに生じる間隙を充填する熱伝導性グリースをさらに有する、
請求項８に記載のヘッド・マウント・ディスプレイ。
【請求項１０】
画像を表示する表示パネルと、
前記表示パネルが表示する映像を光学処理するレンズ・ブロックと、
前記レンズ・ブロックの光軸に対して位置調整可能に前記表示パネルを保持するとともに位置調整した後に固定する表示パネル保持部と、
前記表示パネルを冷却する表示パネル冷却部と、
前記表示パネルの発光面を封止する表示パネル封止部と、
を具備する、ヘッド・マウント・ディスプレイ用の光学ユニット。
【請求項１１】
前記表示パネル保持部は、前記レンズ・ブロックの光軸に対して６軸調整可能に前記表示パネルを保持する、
請求項１０に記載の光学ユニット。
【請求項１２】
前記表示パネル保持部は、前記レンズ・ブロックの鏡筒に固定された複数の固着ピンと、前記固着ピンに対応する位置に穿設された固着穴を有するパネル外枠に前記表示パネルをあらかじめ固定したパネル・アセンブリーを有し、前記パネル外枠の各固着穴に前記固着ピンを挿通させた状態で、前記レンズ・ブロックの光軸に対する前記表示パネルの位置を６軸調整可能である、
請求項１１に記載の光学ユニット。
【請求項１３】
前記レンズ・ブロックの光軸に対して前記表示パネルを所定の精度で位置決めした後、前記パネル外枠の各固着穴にＵＶ樹脂を流し込んで固着ピンとの間隙を充填させ、紫外線で照射して前記ＵＶ樹脂を硬化させることで、前記表示パネルを前記レンズ・ブロックに対して位置決めした位置に固定する、
請求項１２に記載の光学ユニット。
【請求項１４】
前記表示パネル冷却部は、前記表示パネルの基板側に面接触するヒート・シンクを有する、
請求項１０乃至１３のいずれかに記載の光学ユニット。
【請求項１５】
前記ヒート・シンクを前記表示パネルの基板側に面接触させたときに生じる間隙を充填する熱伝導性グリースをさらに有する、
請求項１４に記載の光学ユニット。
【請求項１６】
前記表示パネル封止部は、前記表示パネル保持部により固定された前記表示パネルの側面部分を覆うカバー・フレームと、前記カバー・フレームの開口部分を塞ぐ蓋部を有する、
請求項１０乃至１５のいずれかに記載の光学ユニット。
【請求項１７】
前記蓋部は、前記表示パネルの基板側に面接触するヒート・シンクである、
請求項１６に記載の光学ユニット。
【請求項１８】
前記ヒート・シンクを前記表示パネルの基板側に面接触させたときに生じる間隙を充填する熱伝導性グリースをさらに有する、
請求項１７に記載の光学ユニット。
【請求項１９】
画像を表示する表示パネルと、前記表示パネルが表示する映像を光学処理するレンズ・ブロックを含んだ光学ユニットと、
映像信号を処理する映像信号処理部と、
前記映像信号処理部で処理された映像信号に基づいて、前記表示パネルの表示駆動を制御する表示制御部と、
を具備し、
前記光学ユニットは、前記レンズ・ブロックの光軸に対して位置調整可能に前記表示パネルを保持するとともに位置調整した後に固定する表示パネル保持部と、前記表示パネルを冷却する表示パネル冷却部と、前記表示パネルの発光面を封止する表示パネル封止部を有する、
ヘッド・マウント・ディスプレイ。
【手続補正書】
【提出日】平成26年1月16日(2014.1.16)
【手続補正１】
【補正対象書類名】特許請求の範囲
【補正対象項目名】全文
【補正方法】変更
【補正の内容】
【特許請求の範囲】
【請求項１】
遊技機に対応付けて設けられ、遊技者によって預け入れられた貯遊技媒体の貸与処理を行う貯遊技媒体処理装置と、
前記貯遊技媒体処理装置と通信可能に接続される貯遊技媒体管理装置と、
を備える貯遊技媒体処理システムであって、
前記貯遊技媒体管理装置は、
予め登録された遊技客が所持する遊技客識別媒体を識別する識別情報に対応付けて前記貯遊技媒体の数を特定する貯遊技媒体数情報および前記遊技客を認証するために登録される登録認証情報を管理する貯遊技媒体数管理手段を備え、
前記貯遊技媒体処理装置は、
前記遊技客識別媒体を受け付ける識別媒体受付手段と、
前記識別媒体受付手段にて受け付けた前記遊技客識別媒体から前記識別情報を読取る読取手段と、
前記読取手段にて読取られた前記識別情報に対応付けられている前記貯遊技媒体数情報を前記貯遊技媒体管理装置から取得して、当該貯遊技媒体数情報に関する表示を行う表示制御手段と、
遊技客による前記貯遊技媒体の貸与要求のための操作を受け付ける貸与要求操作受付手段と、
前記貸与要求に基づいて前記貯遊技媒体の貸与処理を行う貸与処理手段と、
を備え、
前記貸与要求操作受付手段への操作を受け付けたことを条件として、遊技客による所定の認証情報の入力を要求する認証情報要求手段を有し、
前記貸与処理手段は、前記認証情報要求手段の要求に対応して入力された認証情報と、前記登録認証情報との対応関係が正当であることを条件として前記貯遊技媒体の貸与処理を行うことを特徴とする貯遊技媒体処理システム。
【請求項２】
前記貸与処理手段は、
前記貸与要求操作に応答して所定数の遊技媒体の投出を前記遊技機に指示することにより、前記貯遊技媒体の貸与処理を行う機能を有することを特徴とする請求項１記載の貯遊技媒体処理システム。
【請求項３】
前記貸与処理手段は、
前記貸与要求操作に応答して前記遊技機の記憶手段に記憶される遊技媒体の数量を所定数増加させる更新処理を行う機能を有することを特徴とする請求項１記載の貯遊技媒体処理システム。
【請求項４】
遊技機に対応付けて設けられ、遊技者によって預け入れられた貯遊技媒体の貸与処理を行う貯遊技媒体処理装置と、
前記貯遊技媒体処理装置と通信可能に接続される貯遊技媒体管理装置と、
を備える貯遊技媒体処理システムであって、
前記貯遊技媒体管理装置は、
予め登録された遊技客が所持する遊技客識別媒体を識別する識別情報に対応付けて前記貯遊技媒体の数を特定する貯遊技媒体数情報を管理する貯遊技媒体数管理手段を備え、
前記貯遊技媒体処理装置は、
前記遊技客識別媒体を受け付ける識別媒体受付手段と、
前記識別媒体受付手段にて受け付けた前記遊技客識別媒体から前記識別情報を読取る読取手段と、
遊技客による前記貯遊技媒体の預入要求のための操作を受け付ける預入要求操作受付手段を備え、
前記識別媒体受付手段にて前記遊技客識別媒体を受け付け、なおかつ前記預入要求操作受付手段にて操作を受け付けたことを条件として、遊技媒体の数量を特定可能な情報を前記貯遊技媒体管理装置に送信し、
前記貯遊技媒体管理装置は、前記遊技客識別媒体により特定される識別情報と、前記情報により特定される遊技媒体の数量を貯遊技媒体として対応付けて更新記憶することを特徴とする貯遊技媒体処理システム。
【請求項５】
前記識別媒体受付手段は、遊技客が所持する携帯端末を受け付けるものであって、
前記読取手段は、前記携帯端末に固有の携帯端末識別情報を前記識別情報として読取るものであることを特徴とする請求項１〜４のいずれか一つに記載の貯遊技媒体処理システム。
【手続補正２】
【補正対象書類名】明細書
【補正対象項目名】０００９
【補正方法】変更
【補正の内容】
【０００９】
請求項４記載の発明は、遊技機に対応付けて設けられ、遊技者によって預け入れられた貯遊技媒体の貸与処理を行う貯遊技媒体処理装置と、前記貯遊技媒体処理装置と通信可能に接続される貯遊技媒体管理装置と、を備える貯遊技媒体処理システムであって、前記貯遊技媒体管理装置は、予め登録された遊技客が所持する遊技客識別媒体を識別する識別情報に対応付けて前記貯遊技媒体の数を特定する貯遊技媒体数情報を管理する貯遊技媒体数管理手段を備え、前記貯遊技媒体処理装置は、前記遊技客識別媒体を受け付ける識別媒体受付手段と、前記識別媒体受付手段にて受け付けた前記遊技客識別媒体から前記識別情報を読取る読取手段と、遊技客による前記貯遊技媒体の預入要求のための操作を受け付ける預入要求操作受付手段を備え、前記識別媒体受付手段にて前記遊技客識別媒体を受け付け、なおかつ前記預入要求操作受付手段にて操作を受け付けたことを条件として、遊技媒体の数量を特定可能な情報を前記貯遊技媒体管理装置に送信し、前記貯遊技媒体管理装置は、前記遊技客識別媒体により特定される識別情報と、前記情報により特定される遊技媒体の数量を貯遊技媒体として対応付けて更新記憶することを特徴とする貯遊技媒体処理システムである。
請求項５記載の発明は、前記識別媒体受付手段は、遊技客が所持する携帯端末を受け付けるものであって、前記読取手段は、前記携帯端末に固有の携帯端末識別情報を前記識別情報として読取るものであることを特徴とする請求項１〜４のいずれか一つに記載の貯遊技媒体処理システムである。
【手続補正書】
【提出日】平成26年8月19日(2014.8.19)
【手続補正１】
【補正対象書類名】特許請求の範囲
【補正対象項目名】全文
【補正方法】変更
【補正の内容】
【特許請求の範囲】
【請求項１】
ミシンの下方の運動機構を内蔵するベッド部に針板を着脱する針板着脱機構であって、
針板とベッド部に設けられて互いに嵌合し、針板をベッド部の固定位置に案内する案内手段と、
針板に設けられた係合部とベッド部に設けられた被係合部とを有し、針板をベッド部の固定位置に押圧移動することによって、係合部と被係合部が係合し、固定状態を維持する固定手段と、
ベッド部に設けられ、針板を下方から押圧して係合部と被係合部の係合を解除するとともに、針板を上方の開放位置へ移動させる開放手段とを備えたことを特徴とする針板着脱機構。
【請求項２】
固定手段は、針板の一端部をベッド部の固定位置に保持する係止手段をさらに備え、
係止手段は、針板の一端部に設けられた固定片と、ベッド部に設けられ、ベッド部の上部固定面との間に固定片の先端部を挟持するとともに針板を所定角度回転可能に保持する受け板とからなることを特徴とする請求項１記載の針板着脱機構。
【請求項３】
固定手段の係合部は、針板の下部に設けられた湾曲部を有する係合ばね板であり、被係合部は、ベッド部上部に立ち上げられた係合立壁であり、係合立壁には、係合ばね板の湾曲部が嵌入する切り欠き部が設けられていることを特徴とする請求項１または２記載の針板着脱機構。
【請求項４】
係合立壁には上端部にテーパー部が設けられ、針板が固定位置から上方の開放位置に移動したとき、係合ばね板は、テーパー部に支持されて針板の開放状態を維持するように配置されていることを特徴とする請求項３記載の針板着脱機構。
【請求項５】
案内手段は、針板に設けられ、針板の下方に向けてすり鉢状に広がるテーパーガイド面を有する位置決め孔と、受け板により保持された固定片の先端部が形成する、針板の仮想回転軸に略垂直な平行面をなす平行ガイド面を有する案内長孔と、ベッド部に設けられ、位置決め孔に嵌合する位置決めピンと、平行ガイド面に摺接し案内長孔に摺動可能に嵌合する案内ピンとからなることを特徴とする請求項２〜４のいずれかに記載の針板着脱機構。
【請求項６】
開放手段は、操作部と、操作部により上下方向に駆動され、針板の下面を突き上げて針板を上方の開放位置へ押し上げる突き上げ棒と、操作部が操作されていないときは、突き上げ棒を針板の下方に押し下げる戻りばねとからなることを特徴とする請求項１〜５のいずれかに記載の針板着脱機構。
【請求項７】
操作部は、ベッド部に回動可能に枢着され、一端に指かけ突部を備えた操作レバーであることを特徴とする請求項６記載の針板着脱機構。
【請求項８】
請求項１〜７のいずれかに記載の針板着脱機構を備えたことを特徴とするミシン。
【手続補正２】
【補正対象書類名】明細書
【補正対象項目名】０００７
【補正方法】変更
【補正の内容】
【０００７】
本発明は、上記の課題を解決するため、針板着脱機構として、ミシンの下方の運動機構を内蔵するベッド部に針板を着脱する針板着脱機構であって、針板とベッド部に設けられて互いに嵌合し、針板をベッド部の固定位置に案内する案内手段と、針板に設けられた係合部とベッド部に設けられた被係合部とを有し、針板をベッド部の固定位置に押圧移動することによって、係合部と被係合部が係合し、固定状態を維持する固定手段と、ベッド部に設けられ、針板を下方から押圧して係合部と被係合部の係合を解除するとともに、針板を上方の開放位置へ移動させる開放手段とを備えたことを特徴とする構成を採用する。
【手続補正３】
【補正対象書類名】明細書
【補正対象項目名】００１０
【補正方法】変更
【補正の内容】
【００１０】
本発明の針板着脱機構の別の具体的実施形態として、案内手段は、針板に設けられ、針板の下方に向けてすり鉢状に広がるテーパーガイド面を有する位置決め孔と、受け板により保持された固定片の先端部が形成する、針板の仮想回転軸に略垂直な平行面をなす平行ガイド面を有する案内長孔と、ベッド部に設けられ、位置決め孔に嵌合する位置決めピンと、平行ガイド面に摺接し案内長孔に摺動可能に嵌合する案内ピンとからなることを特徴とする構成、また、開放手段は、操作部と、操作部により上下方向に駆動され、針板の下面を突き上げて針板を上方の開放位置へ押し上げる突き上げ棒と、操作部が操作されていないときは、突き上げ棒を針板の下方に押し下げる戻りばねとからなることを特徴とする構成、操作部は、ベッド部に回動可能に枢着され、一端に指かけ突部を備えた操作レバーであることを特徴とする構成を採用する。
さらに、本発明のミシンとして、前記針板着脱機構を備えたことを特徴とする構成を採用する。
【手続補正４】
【補正対象書類名】明細書
【補正対象項目名】００１７
【補正方法】変更
【補正の内容】
【００１７】
図４，５に示すように、受け板１２ａ，１２ｂは、それぞれねじ１８ａ，１８ｂにより上部支持壁１７上面に固定されており、針板８を装着する際には、針板８の一端面から突出して設けられた固定片２２ａ，２２ｂを固定位置に保持できるようになっている。
図７に示すように、受け板１２ａ，１２ｂには、上方に所定角度傾斜して立ち上がった押さえ片１９ａ，１９ｂが設けられ、押さえ片１９ａ，１９ｂと上部支持壁１７の上面との間に、固定片２２ａ，２２ｂがそれぞれ嵌挿され、挟持される。
一方の受け板１２ｂは、押さえ片１９ｂの両側に、固定片２２ｂよりわずかに広い間隔をもって対向する挿入ガイド面２１を有する導入部２０が設けられており、固定片２２ｂを嵌挿位置へ案内して、針板８をベッド部４に装着するための最初の位置決めの機能をも担う。
【手続補正書】
【提出日】平成26年8月25日(2014.8.25)
【手続補正１】
【補正対象書類名】特許請求の範囲
【補正対象項目名】全文
【補正方法】変更
【補正の内容】
【特許請求の範囲】
【請求項１】
患者の頭部に取り付けられ外界を撮影するための撮影手段と，該撮影手段の撮影で得られた撮影画像の少なくとも一部の領域を画像データとして伝送するための送信手段とを有する体外装置と、
前記送信手段から送られた前記画像データを受信する受信手段と、
該受信手段で受信された前記画像データに基づき前記患者の視覚を形成する細胞又は組織を電気刺激するための電気刺激パルス信号を出力させる複数の刺激電極とを有する体内装置と、
を備える視覚再生補助装置であって、
患者眼に対して所定の磁束を発生させるための磁束発生手段を備え，該磁束中に位置される前記患者眼の眼球運動を検出するための視線方向検出手段と、
該視線方向検出手段による前記眼球運動の検出結果に基づき，前記画像データに対して前記電気刺激パルス信号を生成するための刺激範囲を定めるための刺激範囲設定手段と、
該刺激範囲設定手段にて設定された前記刺激範囲に対応する前記電気刺激パルス信号を生成するための電気刺激パルス信号生成手段と、
を備えることを特徴とする視覚再生補助装置。
【請求項２】
請求項１の視覚再生補助装置において、
前記視線方向検出手段は、
前記患者眼に対して所定の磁束を発生させるために眼球付近に取り付けられる第１コイルと、
前記第１コイルに対して所定の角度となるように前記眼球上に取り付けられる２つの第２コイルであって、前記眼球の二次元方向の動きを検出するために前記眼球上に互いに所定の角度で取り付けられる２つの第２コイルとを有し、
前記第２コイルに誘導される起電力の電圧及び極性に基づき、前記眼球運動を検出することを特徴とする視覚再生補助装置。
【請求項３】
請求項２の視覚再生補助装置において、
前記２つの第２コイルは前記眼球上で互いに直交することを特徴とする視覚再生補助装置。
【請求項４】
請求項１から３のいずれかの視覚再生補助装置において、
前記撮影手段の撮影画角は前記患者眼に設置される前記複数の電極によって形成される視野よりも広いことを特徴とする視覚再生補助装置。
【請求項５】
請求項４の視覚再生補助装置において、
前記撮影手段で撮影された前記撮影画像に対して，前記体内装置へ送信するための画像データを前記視線方向検出手段にて検出される眼球運動に対応させて定めるための画像データ切り出し手段と、を備えることを特徴とする視覚再生補助装置。
【手続補正２】
【補正対象書類名】明細書
【補正対象項目名】０００７
【補正方法】変更
【補正の内容】
【０００７】
（１）  患者の頭部に取り付けられ外界を撮影するための撮影手段と，該撮影手段の撮影で得られた撮影画像の少なくとも一部の領域を画像データとして伝送するための送信手段とを有する体外装置と、前記送信手段から送られた前記画像データを受信する受信手段と、該受信手段で受信された前記画像データに基づき前記患者の視覚を形成する細胞又は組織を電気刺激するための電気刺激パルス信号を出力させる複数の刺激電極とを有する体内装置と、を備える視覚再生補助装置であって、患者眼に対して所定の磁束を発生させるための磁束発生手段を備え，該磁束中に位置される前記患者眼の眼球運動を検出するための視線方向検出手段と、該視線方向検出手段による前記眼球運動の検出結果に基づき，前記画像データに対して前記電気刺激パルス信号を生成するための刺激範囲を定めるための刺激範囲設定手段と、該刺激範囲設定手段にて設定された前記刺激範囲に対応する前記電気刺激パルス信号を生成するための電気刺激パルス信号生成手段と、を備えることを特徴とする。
（２）  （１）の視覚再生補助装置において、前記視線方向検出手段は、前記患者眼に対して所定の磁束を発生させるために眼球付近に取り付けられる第１コイルと、前記第１コイルに対して所定の角度となるように前記眼球上に取り付けられる２つの第２コイルであって、前記眼球の二次元方向の動きを検出するために前記眼球上に互いに所定の角度で取り付けられる２つの第２コイルとを有し、前記第２コイルに誘導される起電力の電圧及び極性に基づき、前記眼球運動を検出することを特徴とする。
（３）  （２）の視覚再生補助装置において、前記２つの第２コイルは前記眼球上で互いに直交することを特徴とする。
（４）  （１）から（３）のいずれかの視覚再生補助装置において、前記撮影手段の撮影画角は前記患者眼に設置される前記複数の電極によって形成される視野よりも広いことを特徴とする。
（５）  （４）の視覚再生補助装置において、前記撮影手段で撮影された前記撮影画像に対して，前記体内装置へ送信するための画像データを前記視線方向検出手段にて検出される眼球運動に対応させて定めるための画像データ切り出し手段と、を備えることを特徴とする。
【手続補正書】
【提出日】平成26年8月25日(2014.8.25)
【手続補正１】
【補正対象書類名】特許請求の範囲
【補正対象項目名】全文
【補正方法】変更
【補正の内容】
【特許請求の範囲】
【請求項１】
被検者眼の眼底を照明する眼底照明光学系と、
対物レンズを介して前記眼底にフォーカス合わせ用の指標を投影するための指標呈示部と、
前記眼底を撮影して眼底像を得ると共に前記指標を検出する撮像素子と、
前記対物レンズを介して前記被検者眼の瞳孔と共役位置に置かれる絞りと、
前記眼底のフォーカスを合わせるために光軸に沿って移動されるフォーカシングレンズと、
入射瞳である前記絞りから前記眼底までの第１距離と射出瞳である前記絞りの像から前記眼底までの第２距離とが略等しくなる位置を基準位置として，前記撮像素子による前記指標の検出結果に基づいて前記フォーカシングレンズを光軸に沿って移動する制御手段と、
を備える眼底撮影装置であって、
前記絞りから前記眼底の像までの距離Ｌ，前記フォーカシングレンズの焦点距離ｆ，前記第１距離ｇ（Ｄ），前記第２距離ｇａ（Ｄ）としたときに、前記フォーカシングレンズの前記基準位置は（１）式に基づき決定されることを特徴とする眼底撮影装置。
【数１】
2013048808.tif 000001
・・・（１）。
【請求項２】
請求項１の眼底撮影装置において、
前記撮像素子と略共役位置に置かれ、前記眼底上に所定の検査視標を投影するための視標呈示部とを備え、
前記視標呈示部で形成された前記検査視標は、前記基準位置に置かれた前記フォーカシングレンズを介して前記眼底に投影されることを特徴とする眼底撮影装置。
【請求項３】
請求項２の眼底撮影装置において、
前記視標呈示部で形成される前記検査視標は、被検者眼の網膜感度の測定を行うための視野検査指標であることを特徴とする眼底撮影装置。
【手続補正２】
【補正対象書類名】明細書
【補正対象項目名】０００８
【補正方法】変更
【補正の内容】
【０００８】
（１）  被検者眼の眼底を照明する眼底照明光学系と、対物レンズを介して前記眼底にフォーカス合わせ用の指標を投影するための指標呈示部と、前記眼底を撮影して眼底像を得ると共に前記指標を検出する撮像素子と、前記対物レンズを介して前記被検者眼の瞳孔と共役位置に置かれる絞りと、前記眼底のフォーカスを合わせるために光軸に沿って移動されるフォーカシングレンズと、入射瞳である前記絞りから前記眼底までの第１距離と射出瞳である前記絞りの像から前記眼底までの第２距離とが略等しくなる位置を基準位置として，前記撮像素子による前記指標の検出結果に基づいて前記フォーカシングレンズを光軸に沿って移動する制御手段と、を備える眼底撮影装置であって、前記絞りから前記眼底の像までの距離Ｌ，前記フォーカシングレンズの焦点距離ｆ，前記第１距離ｇ（Ｄ），前記第２距離ｇａ（Ｄ）としたときに、前記フォーカシングレンズの前記基準位置は（１）式に基づき決定されることを特徴とする眼底撮影装置。
【手続補正３】
【補正対象書類名】明細書
【補正対象項目名】０００９
【補正方法】変更
【補正の内容】
【０００９】
【数１】
2013048808.tif 000002
・・・（１）。
【手続補正書】
【提出日】平成26年5月27日(2014.5.27)
【手続補正１】
【補正対象書類名】特許請求の範囲
【補正対象項目名】全文
【補正方法】変更
【補正の内容】
【特許請求の範囲】
【請求項１】
衛生マスクに装着又は接着して使用するクッションパッドであって、クッションパッドは通気性の材料からなり、クッションパッドの顔面に接触する側面には、顔面の鼻筋の凹凸形状であるテーパー面（ａ）及び前記顔面の両頬の曲線形状であるテーパー面（ｂ）に沿って顔面にしっかりと支えられる形状であることを特徴とするマスク用クッションパッド。    
【請求項２】
クッションパッドは、左右に２つに分割されることを特徴とする請求項１記載のマスク用クッションパッド。    
【請求項３】
左右に分割されているクッションパッドは、使用者の顔面に本発明の側面（ａ）、（ｂ）を密着させながら、スライド部分を重ね合わせるか、又は突き合わせる構造であることを特徴とする請求項１又は２に記載のマスク用クッションパッド。
【手続補正書】
【提出日】平成26年8月25日(2014.8.25)
【手続補正１】
【補正対象書類名】特許請求の範囲
【補正対象項目名】全文
【補正方法】変更
【補正の内容】
【特許請求の範囲】
【請求項１】
治療用レーザ光を出射するレーザ光源と、該レーザ光源から出射された治療用レーザ光を所定のサイズのスポットとして患者眼の照射部位に照射する照射ユニットと、治療用レーザ光の照射時間を設定する照射時間設定手段と、設定された照射時間に基づいて治療用レーザ光の照射を制御する制御手段と、を備える眼科用レーザ治療装置において、
患者眼に照射される前記所定サイズのスポットにおける治療用レーザ光のビームプロファイルを変更するビームプロファイル変更手段を備え、
前記制御手段は、前記照射時間設定手段によって設定された前記照射時間に応じて前記ビームプロファイル変更手段を制御することを特徴とする眼科用レーザ治療装置。
【請求項２】
請求項１の眼科用レーザ治療装置において、
前記照射時間設定手段は、少なくとも、第１の照射時間と、第１の照射時間よりも短い照射時間である第２の照射時間と、の何れか１つを設定でき、
前記ビームプロファイル変更手段は、前記照射時間設定手段により設定される照射時間の少なくとも２つに対応して複数種類の治療用レーザ光のビームプロファイルを変更でき、
前記制御手段は、前記照射時間設定手段において第１の照射時間が設定された場合に前記ビームプロファイル変更手段で設定するビームプロファイルの均一性が、前記照射時間設定手段において第２の照射時間が設定される場合に前記ビームプロファイル変更手段で設定するビームプロファイルの均一性に対して低くなるようにビームプロファイル変更手段を設定する、ことを特徴とする眼科用レーザ治療装置。
【請求項３】
請求項１又は２の眼科用レーザ治療装置において、
前記ビームプロファイル変更手段は、回折光学素子を用いて、治療用レーザ光のビームプロファイルにおいて周辺部に対する中心部の相対的な強度を変更させることを特徴とする眼科用レーザ治療装置。
【請求項４】
請求項３の眼科用レーザ治療装置において、
前記ビームプロファイル変更手段は、回折格子のパターンが異なる複数の回折光学素子を備え、各回折光学素子を前記照射ユニットの光軸上に切換え配置して治療用レーザ光のビームプロファイルを変更する、
ことを特徴とする眼科用レーザ治療装置。
【手続補正２】
【補正対象書類名】明細書
【補正対象項目名】０００６
【補正方法】変更
【補正の内容】
【０００６】
本発明は、上記課題を解決するために、以下の構成を有することを特徴とする。
治療用レーザ光を出射するレーザ光源と、該レーザ光源から出射された治療用レーザ光を所定のサイズのスポットとして患者眼の照射部位に照射する照射ユニットと、治療用レーザ光の照射時間を設定する照射時間設定手段と、設定された照射時間に基づいて治療用レーザ光の照射を制御する制御手段と、を備える眼科用レーザ治療装置において、患者眼に照射される前記所定サイズのスポットにおける治療用レーザ光のビームプロファイルを変更するビームプロファイル変更手段を備え、前記制御手段は、前記照射時間設定手段によって設定された前記照射時間に応じて前記ビームプロファイル変更手段を制御することを特徴とする。
【手続補正書】
【提出日】平成26年8月26日(2014.8.26)
【手続補正１】
【補正対象書類名】特許請求の範囲
【補正対象項目名】全文
【補正方法】変更
【補正の内容】
【特許請求の範囲】
【請求項１】
挿入部の先端に設けられた撮像素子から出力する映像信号を処理するための画像処理回路を備えた内視鏡本体と、
前記内視鏡本体に設けられ、前記挿入部を介して前記撮像素子に駆動信号を供給する撮像素子駆動回路と、
前記映像信号に基づき内視鏡画像を表示するための第１の表示形態と、前記第１の表示形態とは画質の異なる内視鏡画像を表示するための第２の表示形態とを有し、前記第１の表示形態による表示中に、第２の表示形態への切り替え操作に伴って、前記撮像素子駆動回路を制御して前記撮像素子の電荷蓄積期間を変更させる制御部と、
を具備したことを特徴とする内視鏡装置。
【請求項２】
前記内視鏡と、
前記内視鏡に設けられ前記内視鏡に関する内視鏡情報を記憶する第１のメモリと、
前記内視鏡本体に設けられ、前記内視鏡情報に対応して、前記電荷蓄積期間を決定するためのパターンテーブルを記憶する第２のメモリと、
を備え、
前記制御部は、前記電荷蓄積期間を変更する場合には、前記第１のメモリから前記内視鏡情報を読み出し、前記第２のメモリに記憶されたパターンテーブルを参照することで、前記電荷蓄積期間を決定する
ことを特徴とする請求項１に記載の内視鏡装置。
【請求項３】
前記内視鏡と、
前記内視鏡に設けられ前記内視鏡に関する内視鏡情報を記憶するスイッチと、
前記内視鏡本体に設けられ、前記内視鏡情報に対応して、前記電荷蓄積期間を決定するためのパターンテーブルを記憶する第２のメモリと、
を備え、
前記制御部は、前記電荷蓄積期間を変更する場合には、前記スイッチから前記内視鏡情報を読み出し、前記第２のメモリに記憶されたパターンテーブルを参照することで、前記電荷蓄積期間を決定する
ことを特徴とする請求項１に記載の内視鏡装置。
【請求項４】
前記内視鏡情報は、前記撮像素子の種類、前記被写体を照明する照明光の種類、前記照明光を得るための信号線の線長及び径、前記照明光を伝送するための伝送路長及び径のうちの少なくとも１つの情報を含む
ことを特徴とする請求項２又は３に記載の内視鏡装置。
【請求項５】
前記内視鏡情報は、前記内視鏡を特定するＩＤ情報である
ことを特徴とする請求項２又は３に記載の内視鏡装置。
【請求項６】
前記撮像素子駆動回路は、前記撮像素子の信号電荷の読み出しを制御する読み出しパルスのパルス期間を変更することで、前記撮像素子の電荷蓄積期間を変更する
ことを特徴とする請求項１乃至５のいずれか１つに記載の内視鏡装置。
【請求項７】
前記撮像素子駆動回路は、前記読み出しパルスのパルス発生を省略することで前記パルス期間を変更する
ことを特徴とする請求項６に記載の内視鏡装置。
【請求項８】
前記制御部は、前記読み出しパルスの前記パルス発生を省略する回数を前記撮像素子駆動回路に対して指示することで、
前記電荷蓄積期間を制御する
ことを特徴とする請求項７に記載の内視鏡装置。
【請求項９】
前記パターンテーブルは、前記内視鏡情報に基づく省略する回数の情報を有する
ことを特徴とする請求項８に記載の内視鏡装置。
【請求項１０】
前記制御部は、ライブ動作モードにおけるライブ表示と静画表示との間の切り替え操作又はライブ動作モードにおけるライブ表示とライブ高画質表示との間の切り替え操作に応答して、前記電荷蓄積期間を変更する
ことを特徴とする請求項１乃至９のいずれか１つに記載の内視鏡装置。
【手続補正書】
【提出日】平成26年8月11日(2014.8.11)
【手続補正１】
【補正対象書類名】特許請求の範囲
【補正対象項目名】請求項１
【補正方法】変更
【補正の内容】
【請求項１】
遊技者が所有する所有遊技用価値を特定可能な所有遊技用価値特定情報が記録された遊技用記録媒体を受付けて、該所有遊技用価値特定情報の読み出しを行う記録媒体読出し手段と、
該所有遊技用価値特定情報から特定される所有遊技用価値を遊技に使用するための処理を行う使用処理手段と、
を備え、遊技機に１対１に対応して設けられた複数の遊技用装置と、
各遊技用装置とデータ通信可能に接続され、各遊技者が所有する所有遊技用価値を管理する遊技用管理装置と、
から成る遊技用システムであって、
前記遊技用装置は、
譲渡相手に振分ける振分け遊技用価値を、当該遊技者が所有する所有遊技用価値の範囲内において入力するための振分け遊技用価値入力手段と、
各振分けを個々に特定可能な譲渡特定情報を取得する譲渡特定情報取得手段と、
前記振分け遊技用価値と前記譲渡特定情報とを含む振分け要求を送信する振分け要求送信手段と、
譲渡相手である遊技者から、前記譲渡特定情報を受付ける譲渡特定情報受付け手段と、
前記譲渡特定情報受付け手段にて受付けた譲渡特定情報を含む振分け遊技用価値要求を送信する振分け遊技用価値要求送信手段と、
前記振分け遊技用価値要求の送信に応じて返信される振分け遊技用価値を受信する振分け遊技用価値受信手段と、
前記振分け遊技用価値受信手段にて受信した振分け遊技用価値を前記使用処理手段にて使用可能な所有遊技用価値に加算する加算手段と、
を備え、
前記遊技用管理装置は、
前記振分け要求送信手段から送信された振分け要求に含まれる振分け遊技用価値と譲渡特定情報とを対応付けて記憶する振分け記憶手段と、
前記振分け遊技用価値要求の受信に応じて、該振分け遊技用価値要求に含まれる譲渡特定情報に対応付けて前記振分け記憶手段に記憶されている振分け遊技用価値を特定し、該特定した遊技用価値を、前記振分け遊技用価値要求の送信元の遊技用管理装置に返信する振分け遊技用価値送信手段と、
を備える
ことを特徴とする遊技用システム。
【手続補正２】
【補正対象書類名】明細書
【補正対象項目名】０００６
【補正方法】変更
【補正の内容】
【０００６】
前記課題を解決するために、本発明の請求項１に記載の遊技用システムは、
遊技者が所有する所有遊技用価値（持玉数や貯玉数）を特定可能な所有遊技用価値特定情報（例えば、カードＩＤ）が記録された遊技用記録媒体（会員カード、ビジターカード）を受付けて、該所有遊技用価値特定情報の読み出しを行う記録媒体読出し手段（カードリーダライタ３２７）と、
該所有遊技用価値特定情報から特定される所有遊技用価値を遊技に使用するための処理（払出処理、再プレイ処理）を行う使用処理手段（制御ユニット３２８）と、
を備え、遊技機（パチンコ機２）に１対１に対応して設けられた複数の遊技用装置（カードユニット３）と、
各遊技用装置とデータ通信可能に接続され、各遊技者が所有する所有遊技用価値を管理する遊技用管理装置（管理コンピュータ１５０）と、
から成る遊技用システムであって、
前記遊技用装置は、
譲渡相手（振分け相手）に振分ける振分け遊技用価値（振分け玉数）を、当該遊技者が所有する所有遊技用価値の範囲内において入力するための振分け遊技用価値入力手段（例えば、制御ユニット３２８がステップＳｆ２、Ｓｆ２２、Ｓｆ３１を実施する部分）と、
各振分けを個々に特定可能な譲渡特定情報を取得する譲渡特定情報取得手段（例えば、制御ユニット３２８がステップＳｐ１を実施する部分）と、
前記振分け遊技用価値と前記譲渡特定情報とを含む振分け要求を送信する振分け要求送信手段（例えば、制御ユニット３２８がステップＳｐ２を実施する部分）と、
譲渡相手である遊技者から、前記譲渡特定情報を受付ける譲渡特定情報受付け手段（例えば、制御ユニット３２８がステップＳｆ７０を実施する部分）と、
前記譲渡特定情報受付け手段にて受付けた譲渡特定情報を含む振分け遊技用価値要求（振分け確認要求）を送信する振分け遊技用価値要求送信手段（例えば、制御ユニット３２８がステップＳｆ７１を実施する部分）と、
前記振分け遊技用価値要求の送信に応じて返信される振分け遊技用価値を受信する振分け遊技用価値受信手段（例えば、制御ユニット３２８がステップＳｆ７２を実施する部分）と、
前記振分け遊技用価値受信手段にて受信した振分け遊技用価値を前記使用処理手段にて使用可能な所有遊技用価値に加算する加算手段（例えば、制御ユニット３２８がステップＳｆ７３を実施する部分）と、
を備え、
前記遊技用管理装置は、
前記振分け要求送信手段から送信された振分け要求に含まれる振分け遊技用価値と譲渡特定情報とを対応付けて記憶する振分け記憶手段（振分け管理テーブル）と、
前記振分け遊技用価値要求の受信に応じて、該振分け遊技用価値要求に含まれる譲渡特定情報（パスワード）に対応付けて前記振分け記憶手段（振分け管理テーブル）に記憶されている振分け遊技用価値（振分け玉数）を特定し、該特定した遊技用価値を、前記振分け遊技用価値要求の送信元の遊技用管理装置に返信する振分け遊技用価値送信手段（図２９において管理コンピュータ１５０が、振分け玉数を返信する部分）と、
を備える
ことを特徴としている。
この特徴によれば、譲渡相手に譲渡特定情報を通知し、該通知された譲渡特定情報を譲渡相手が遊技用装置に入力することで、振分け遊技媒体数が所有遊技媒体数に加算されて遊技に使用できるようになるので、記録媒体を譲渡相手に手渡しする面倒や紛失による不利益の発生を解消することができる。